(57)【要約】【課題】着用時の違和感や不快感を抑制できる吸収性物品に関する。【解決手段】吸収性物品は、表面シート、吸収体及び裏面シートを有する本体と、線状溝と、上記裏面シートに設けられた固定手段と、を備える。上記固定手段は、上記本体において、上記横方向に間隙を介して形成された複数の固定領域を有する。上記線状溝は、上記本体の上記横方向周縁に位置し上記縦方向に延びる中間溝と、上記中間溝の前方及び後方にそれぞれ位置し上記中心線を跨いで延びる前方溝及び後方溝と、を有する。上記前方溝及び後方溝の少なくとも一方は、上記中心線上の中央極大点を含み、上記縦方向外方に凸な中央凸状部と、上記固定領域上にそれぞれ位置する左右極大点を含み、上記中央凸状部よりも上記縦方向外方に凸な左右凸状部と、を有する。上記左右凸状部は、上記固定手段の間隙上に位置する極小点によって上記中央凸状部とそれぞれ連結される。【選択図】図１
2020039508.tif 000002
【特許請求の範囲】
【請求項１】
表面シート、吸収体及び裏面シートを有する本体と、前記表面シート側に設けられた線状溝と、前記裏面シートに設けられ着衣に対して前記本体を固定する固定手段と、を備え、相互に直交する縦方向及び横方向を有し、前記本体を前記横方向に２等分する中心線によって左側領域と右側領域とに区分される吸収性物品であって、
前記固定手段は、前記本体において、間隙を介して形成された複数の固定領域を有し、
前記線状溝は、
前記本体の前記横方向両側方に位置し前記縦方向に延びる一対の中間溝と、
前記中間溝の前方及び後方にそれぞれ位置し前記中心線を跨いで延びる前方溝及び後方溝と、を有し、
前記前方溝及び後方溝の少なくとも一方は、
前記中心線上又はその近傍に、中央極大点を含み、前記縦方向外方に凸な中央凸状部と、
前記固定領域上にそれぞれ位置する左右極大点を含み、前記中央凸状部よりも前記縦方向外方に凸な左右凸状部と、を有し、
前記左右凸状部は、前記固定手段の間隙上に位置する極小点によって前記中央凸状部とそれぞれ連結される
吸収性物品。
【請求項２】
前記左右極大点及び前記極小点間並びに前記中央極大点及び前記極小点間がそれぞれ外方に凸な曲線状で構成される
請求項１に記載の吸収性物品。
【請求項３】
前記複数の固定手段は、前記横方向に間隙を介して形成されており、
前記中心線を含んで前記縦方向に延びる中央固定領域を含む
請求項１又は２に記載の吸収性物品。
【請求項４】
前記中央凸状部及び前記左右凸状部は、前記中央極大点に対して左右対称に構成される
請求項１ないし３のいずれか一項に記載の吸収性物品。
【請求項５】
前記左右凸状部では、前記左右極大点から前記中間溝に向かって延びる周縁部全体が、前記本体の外方に凸な曲線状に構成される
請求項１ないし４のいずれか一項に記載の吸収性物品。
【発明の詳細な説明】
【技術分野】
【０００１】
本発明は、生理用ナプキン等の吸収性物品に関する。
【背景技術】
【０００２】
従来、生理用ナプキン等の吸収性物品において、漏れ防止性や装着性を向上させるために、その肌対向面に、表面シート及び吸収体が裏面シート側に向かって一体的に凹陥してなる溝を形成することが知られている。
例えば特許文献１には、吸収性本体の肌対向面に、表面シート及び吸収体が裏面シート側に向かって一体的に凹陥してなる線状溝が形成されており、当該裏面シートに、ホットメルト等からなる粘着部が形成された吸収性物品が記載されている。
【先行技術文献】
【特許文献】
【０００３】
【特許文献１】特開２０１５−２４００１号公報
【発明の概要】
【発明が解決しようとする課題】
【０００４】
従来の吸収性物品では、吸収性本体の折れや、着衣から粘着部が離れた場合の粘着部同士の接着等によって、吸収性物品が肌に対して局所的に当たるように変形することがあり、装着違和感や吸収性物品と肌との擦れの原因となっていた。
【０００５】
本発明の課題は、着用時の違和感や不快感を抑制できる吸収性物品に関する。
【課題を解決するための手段】
【０００６】
本発明の一形態に係る吸収性物品は、表面シート、吸収体及び裏面シートを有する本体と、上記表面シート側に設けられた線状溝と、上記裏面シートに設けられ着衣に対して上記本体を固定する固定手段と、を備え、相互に直交する縦方向及び横方向を有し、上記本体を上記横方向に２等分する中心線によって左側領域と右側領域とに区分される。
上記固定手段は、上記本体において、間隙を介して形成された複数の固定領域を有する。
上記線状溝は、
上記本体の前記横方向両側方に位置し前記縦方向に延びる一対の中間溝と、
上記中間溝の前方及び後方にそれぞれ位置し前記中心線を跨いで延びる前方溝及び後方溝と、を有する。
上記前方溝及び後方溝の少なくとも一方は、
上記中心線上又はその近傍に、中央極大点を含み、上記縦方向外方に凸な中央凸状部と、
上記固定領域上にそれぞれ位置する左右極大点を含み、上記中央凸状部よりも上記縦方向外方に凸な左右凸状部と、を有する。
上記左右凸状部は、上記固定手段の間隙上に位置する極小点によって上記中央凸状部とそれぞれ連結される。
【発明の効果】
【０００７】
以上のように、本発明の吸収性物品によれば、着用時の違和感や不快感を抑制できる。
【図面の簡単な説明】
【０００８】
【図１】本発明の一実施形態に係る吸収性物品を示す平面図である。
【図２】図１のII−II線で切断した断面図である。
【図３】上記吸収性物品の裏面図である。
【図４】上記吸収性物品の前方領域を模式的に示す拡大平面図である。
【図５】本発明の他の実施形態に係る吸収性物品を示す拡大平面図である。
【図６】本発明のさらに他の実施形態に係る吸収性物品を示す平面図である。
【図７】本発明のさらに他の実施形態に係る吸収性物品を示す平面図である。
【発明を実施するための形態】
【０００９】
以下、図面を参照しながら、本発明の実施形態を説明する。
【００１０】
［ナプキンの全体構成］
本発明の第１実施形態の吸収性物品１は、図１に示すように、本体Ｍと、一対のウイング部Ｗと、線状溝６と、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上又は肌側、着衣に近い側を下又は非肌側という事がある。
ナプキン１は、本体Ｍを横方向Ｙに２等分する中心線Ｃによって左側領域Ｌと右側領域Ｒとに区分される。本実施形態では、ナプキン１が左右対称に構成され、左側領域Ｌと右側領域Ｒとが同一の形状で構成される。
【００１１】
本体Ｍは、縦方向Ｘに沿って延び、着用時に着用者の着衣の内面に固定される。本体Ｍは、後述する吸収体４を有しており、着用者の経血等の液状物（以下、「液」とも称する）を吸収する機能を有する。
【００１２】
本体Ｍは、縦方向Ｘに沿って、前方領域Ｍ１と、中間領域Ｍ２と、後方領域Ｍ３とに区分される。
中間領域Ｍ２は、着用時に着用者の排泄領域に対向する領域である。図１において、中間領域Ｍ２は、本体Ｍにおけるウイング部Ｗの前後基端部間の領域である。
前方領域Ｍ１は、中間領域Ｍ２の前方（着用者の腹側）に配置される領域であり、着用時に着用者の排泄領域の前方に対向するように構成される。
後方領域Ｍ３は、中間領域Ｍ２の後方（着用者の背側）に配置される領域であり、装着時に着用者の排泄領域の後方に対向するように構成される。
なお、ここでいう着用時は、通常の適正な着用位置（ナプキン１の想定される着用位置）が維持された状態を意味し、ナプキン１が当該着用位置からずれた状態にある場合は含まない。
【００１３】
ウイング部Ｗは、本体Ｍの中間領域Ｍ２から横方向Ｙの外方に大きく突出するように構成される。
【００１４】
図２に示すように、ナプキン１は、吸収体４と、表面シート２と、裏面シート３と、一対のサイドシート５と、を備える。本体Ｍにおいて、ナプキン１は、裏面シート３、吸収体４及び表面シート２が厚み方向Ｚに積層された構成を有する。これらの構成は、例えば、接着剤やヒートシール等による接合、及び線状溝６によるエンボス加工等によって、適宜接合されて一体化している。
【００１５】
吸収体４は、縦方向Ｘに沿って延び、表面シート２と裏面シート３との間に配置される。図１に示すように、吸収体４の前方の端部を前端部４ａ、後方の端部を後端部４ｂとする。前端部４ａ及び後端部４ｂは、曲線状でもよいし、直線状でもよい。
吸収体４は、液を表面シート２側の面から吸収し、内部で拡散させて当該液を保持する。具体的に、吸収体４は、吸収性シート４０１〜４０３の積層体からなり、図２に示すように、中間領域Ｍ２に厚みの厚い高坪量部４２を有している。吸収体４の詳細については後述する。
【００１６】
表面シート２は、液透過性のシート材として構成され、吸収体４の厚み方向Ｚ上方に配置される。なお、表面シート２と吸収体４との間には、表面シート２から吸収体４への液の透過性の向上、吸収体４に吸収された液の表面シート２への液戻りの防止等の観点から、セカンドシート（サブレイヤーシート）が配置されていてもよい。
【００１７】
裏面シート３は、吸収体４の厚み方向Ｚ下方に配置される。裏面シート３は、例えば周縁部において、表面シート２及びサイドシート５と接着剤、熱シール等によって接合される。裏面シート３は、接着剤等によって吸収体４に接合されていてもよい。
裏面シート３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１８】
一対のサイドシート５は、表面シート２の横方向Ｙ外側に配置される。サイドシート５の材料としては、表面シート２よりも親水性が小さいシート材料が好ましく、具体的には、表面シート２よりも親水性の低い不織布、フィルム材料、及び不織布とフィルム材料のラミネート構造のシートが挙げられる。サイドシート５の詳細については後述する。
【００１９】
［固定手段の構成］
図３に示すように、固定手段７は、裏面シート３に設けられ、着衣に対して本体Ｍを固定する、ずれ止め材としての機能を有する。固定手段７は、本体Ｍの他、ウイング部Ｗにも設けられる。
固定手段７は、例えば、裏面シート３に所定のパターンで粘着剤を塗工することにより形成される。固定手段７に用いられる粘着剤として、好ましくは、ゴム系、オレフィン系、エチレン酢酸ビニル（ＥＶＡ）系等のホットメルト粘着剤が用いられる。あるいは、固定手段７としては、メカニカルファスナー等を用いてもよい。
【００２０】
本体Ｍにおいて、固定手段７は、横方向Ｙに間隙７４を介して形成された複数の固定領域７１，７２，７３を有する。固定領域７１，７２，７３は、例えば、縦方向Ｘに延びる略矩形状に構成される。これらの固定領域７１，７２，７３は、例えば、ホットメルト粘着剤が密に塗工された領域である。「密に塗工」は、間隙を有さないベタ塗りの態様に限定されず、２ｍｍ以下のわずかな間隙を有する態様も含むものとする。例えば、各固定領域７１，７２，７３が密なスパイラル状の塗工パターンで形成されてもよいし、横ストライプが密に配された塗工パターンで形成されてもよい。
【００２１】
複数の固定領域７１，７２，７３は、中央固定領域７１及び左右固定領域７２，７３とも称する。
中央固定領域７１は、中心線Ｃを含んで形成される。なお、図３では、中央固定領域７１は縦方向Ｘに連続して中央線Ｃと重なる形態であるが、これに変えて、中高固定領域７１の前端と後端の間において、中心線Ｃと中央固定領域７１の縦方向Ｘとの重なる長さの割合は、好ましくは５０％以上、より好ましくは７０％以上である。このような実施形態としては、中央固定領域７１が縦方向Ｘに不連続である場合や、蛇行して中央線Ｃと重なる部分と重ならない部分が交互に存在する場合などが挙げられる。
中央固定領域７１の横方向Ｙにおける幅は、線状溝６との関係で定められるが、好ましくは２ｍｍ以上３０ｍｍ以下、より好ましくは５ｍｍ以上１５ｍｍ以下である。
左右固定領域７２，７３は、それぞれ間隙７４を介して中央固定領域７１の左右外側に形成される。左右固定領域７２，７３の横方向Ｙにおける幅も、線状溝６との関係で定められるが、好ましくは１．５ｍｍ以上３０ｍｍ以下、より好ましくは１０ｍｍ以上２０ｍｍ以下である。
間隙７４の横方向Ｙにおける幅も、線状溝６との関係で定められ、１．５ｍｍ以上３０ｍｍ以下、より好ましくは５ｍｍ以上１５ｍｍ以下である。
このような形状の固定領域７１，７２，７３に対し、線状溝６の構成を以下のようにすることで、ナプキン１において装着違和感や不快感の原因となる折れ変形を抑制することができる。
【００２２】
［線状溝の全体構成］
図１及び図２に示すように、ナプキン１の表面シート２側には、線状溝６が形成されている。
線状溝６は、本体Ｍの周縁に形成された線状溝であり、本体Ｍの表面シート２側から厚み方向Ｚに圧搾加工することによって形成される。これにより、図２に示すように、線状溝６は、表面シート２及び吸収体４が裏面シート３側に向かって一体的に凹陥した構成を有する。
線状溝６における「線状」は、溝の形状が平面視において直線状の態様に限られず、曲線状の態様を含む。また、線状溝６における各線は、連続線でも破線でも良い。例えば、線状溝は、不連続な多数の凹部（例えば、点エンボス）が列をなして形成されていてもよい。
【００２３】
線状溝６は、熱を伴うか又は伴わない圧搾加工、あるいは超音波エンボス等のエンボス加工により常法に従って形成することができる。線状溝においては、表面シート２及び吸収体４が熱融着等により一体化している。
このような構成により、線状溝６は、他の領域と比較して剛性が高く、変形しにくい部分となる。このため、線状溝６は、ナプキン１が外力を受けた場合に、好ましい変形となりやすい弾性変形の基軸としても機能し得る。
【００２４】
図１に示すように、線状溝６は、前方溝６１と、中間溝６２と、後方溝６３と、を有する。前方溝６１は、本体Ｍの前方領域Ｍ１に形成される。中間溝６２は、本体Ｍの中間領域Ｍ２に一対形成される。後方溝６３は、本体Ｍの後方領域Ｍ３に形成される。
なお、中間溝６２は、前方領域Ｍ１及び後方領域Ｍ２まで延在していてもよい。
前方溝６１及び中間溝６２の間、並びに後方溝６３及び中間溝６２の間は、途切れていてもよいし、連続していてもよい。
【００２５】
中間溝６２は、本体Ｍの横方向Ｙ両側方に位置し、縦方向Ｘに延びる。中間溝６２は、図１では左右に１対形成されているが、複数対形成されていてもよい。
「縦方向Ｘに溝が延びる」とは、縦溝が途中で途切れることなく連続している状態に限られず、比較的短い長さ（概ね８ｍｍ以下）の、溝の存在しない途切れ部（非凹陥部）があっても良く、縦溝全体として実質的に縦方向Ｘに連続していれば良い。
【００２６】
前方溝６１は、左右の中間溝６２各々から縦方向Ｘ前方へ延び、本体Ｍの前端部近傍でこれらの双方が連結される。
同様に、後方溝６３は、左右の中間溝６２各々から縦方向Ｘ後方へ向かって延び、本体Ｍの後端部近傍でこれらの双方が連結される。
なお、前方溝６１及び後方溝６３は、１本のみに限られず、中心線Ｃを跨いで横方向Ｙに延びる補助溝等を適宜有していてもよい。
【００２７】
図１に示す例では、前方溝６１が、複数の凸状部６４，６５，６６を有する。凸状部６４〜６６は、線状溝６が縦方向Ｘ外方（前方）に凸な線状をなして屈曲又は湾曲している部分である。凸状部６４〜６６は、それぞれ縦方向Ｘの最前方に位置する極大点を有する。図１及び図４に示す例において、極大点は、直線状又は曲線状の溝が屈曲し非連続的に傾きが変化する点であるが、連続的に傾きが変化する曲線上に位置する点でもよい。
【００２８】
［前方溝の詳細構成］
図４に示すように、前方溝６１は、中央凸状部６４と、左右凸状部６５，６６と、を有し、中央凸状部６４よりも左右凸状部６５，６６がより前方に突出するように構成される。
中央凸状部６４は、中心線Ｃ上に中央極大点６４ａを含み、縦方向Ｘ外方（前方）に凸に構成される。なお、中央極大点６４は厳密に中心線Ｃ上に配されるものに限定されず、中心線Ｃの近傍に位置していても良い。ここで中心線Ｃの近傍とは、中心線Ｃの位置を基準として、左右それぞれに、吸収体４の横方向Ｙの全長の１０％以内の範囲を意味する。
左右凸状部６５，６６は、左右固定領域７２，７３上にそれぞれ位置する左右極大点６５ａ，６６ａを含み、中央凸状部６４よりも縦方向Ｘ外方（前方）に凸に構成される。左右凸状部６５，６６は、固定手段７の間隙７４上に位置する極小点６５ｂ，６６ｂによって中央凸状部６４とそれぞれ連結される。
なお図４では、説明のため、各極大点６４ａ，６５ａ，６６ａ及び極小点６５ｂ，６６ｂを一点鎖線からなる円で囲んで示している。
【００２９】
つまり、左右極大点６５ａ，６６ａは、中央極大点６４ａよりも縦方向Ｘ及び横方向Ｙにおいて外側（周縁）に位置し、かつ、左右固定領域７２，７３上に位置する。これにより、吸収体４の前端部４ａの周縁が、着用時に着衣に固定されることになり、線状溝６を折れ線として肌側に折れ曲がるように変形することを防止できる。
【００３０】
また、左右極大点６５ａ，６６ａが中央極大点６４ａよりも前方に位置することに加えて、極小点６５ｂ，６６ｂが間隙７４上に位置し着衣に固定されない。このため、横方向Ｙからの外力が付加された場合、左右凸状部６５，６６が当該外力を受けて、左側領域Ｌ及び右側領域Ｒ各々が凸状部６４〜６６を基軸として厚み方向Ｚに盛り上がるように弾性変形できる。
具体的には、左側凸状部６５が上記外力を受けることで、固定領域７２によって着衣に固定された左側極大点６５ａと中央極大点６４ａとの間の領域が、中央凸状部６４の左側部分と左側凸状部６５とを基軸として弾性変形する。同様に、右側凸状部６６が上記外力を受けることで、固定領域７３によって着衣に固定された右側極大点６６ａと中央極大点６４ａとの間の領域が、中央凸状部６４の右側部分と右側凸状部６６とを基軸として弾性変形する。このような弾性変形によって、中心線Ｃ付近に外力が集中することを防止し、中心線Ｃを折れ線とした変形を抑制できる。
また、左側領域Ｌ及び右側領域Ｒ内でそれぞれ弾性変形することによって、左側領域Ｌ及び右側領域Ｒ同士の接近が抑制される。これにより、左右固定領域７２，７３が着衣から離れた場合でも、左右固定領域７２，７３同士が相互に接着することを防止できる。
以上のように、上記構成のナプキン１では、肌に対して局所的に当たるような折れ変形の発生を防止し、装着違和感や擦れを抑制することができる。
【００３１】
また、図４に示すように、左右極大点６５ａ，６６ａ及び極小点６５ｂ，６６ｂ間、並びに中央極大点６４ａ及び極小点６５ｂ，６６ｂ間がそれぞれ外方に凸な曲線状に構成される。ここで「外方に凸な曲線」とは、中間溝６２、前方溝６１及び後方溝６３で形成された閉じた図形において、該図形の外側方向に凸となっている曲線のことである。つまり、前方溝６１のうち、左右極大点６５ａ，６６ａから横方向Ｙ内方に位置する部分（後述する周縁部６５ｃ，６６ｃ以外）が全て曲線状に構成される。
これにより、左右凸状部６５，６６が吸収体４の周縁に沿った位置に形成されやすくなり、吸収体４の周縁部が折れ曲がることをより確実に防止できる。
さらに、左右凸状部６５，６６及び中央凸状部６４が外力を受けた場合に弾性変形の基軸となりやすく、これらによる外力の緩和効果を高めることができる。
【００３２】
また、固定手段７が中央固定領域７１を有することで、中央極大点６４ａが着衣に固定される。これにより、横方向Ｙからの外力の緩衝作用をより確実に発揮することができる。
【００３３】
また、中央凸状部６４及び左右凸状部６５，６６は、中心線Ｃに対して左右対称に構成される。
これにより、左右いずれかに偏って変形することが防止され、装着違和感や擦れの発生をより効果的に抑制できる。
【００３４】
さらに、左右凸状部６５，６６では、左右極大点６５ａ，６６ａから中間溝６２に向かって延びる周縁部６５ｃ，６６ｃ全体が、本体Ｍの外方に凸な曲線状に構成される。つまり、周縁部６５ｃ，６６ｃは、横方向Ｙ内方に括れる括れ部を有さない。
これにより、左右凸状部６５，６６に囲まれた領域を広く確保でき、左右凸状部６５，６６を基点とした弾性変形による外力の緩和効果を高めることができる。さらに、括れ部を有さないことで、左右凸状部６５，６６が横方向Ｙから受ける外力を、前方溝６１と中間溝６２との間の領域に逃がすことができる。これにより、装着違和感や擦れの発生をより効果的に防止できる。
また、周縁部６５ｃ、６６ｃにおける、横方向Ｙの最も外側に位置する部分と極小点６５ｂ、６６ｂは、縦方向Ｘに関してずれていることが、上述した緩和効果に、より有効である。特に、極小点６５ｂ、６６ｂが周縁部６５ｃ、６６ｂより縦方向Ｘの端部側にずれていることが好ましい。
【００３５】
［本実施形態の追加説明］
以下、本実施形態の説明を補足する。
【００３６】
［線状溝の凸状部の各寸法］
左右極大点６５ａ，６５ｂと吸収体４の端部との間の縦方向Ｘの距離は、端部における折れ変形を効果的に防止する観点から、好ましくは２ｍｍ以上２０ｍｍ以下であり、より好ましくは５ｍｍ以上１５ｍｍ以下である。左右凸状部６５，６６における極小点６５ｂ，６６ｂから極大点６５ａ，６５ａまでの縦方向Ｘの寸法は、中心線Ｃを基軸としたナプキン１の折れを効果的に防止する観点から、好ましくは３ｍｍ以上２５ｍｍ以下であり、より好ましくは５ｍｍ以上１５ｍｍ以下である。また、左右凸状部６５，６６の極小点６５ｂ，６６ｂから極大点６５ａ，６５ａまでの横方向Ｙの寸法は、好ましくは３ｍｍ以上３０ｍｍ以下であり、より好ましくは５ｍｍ以上２０ｍｍ以下である。
また、中心線Ｃから各極大点６５ａ，６６ａまでの寸法は、端部における折れ変形を効果的に防止する観点から、好ましくは５ｍｍ以上４０ｍｍ以下であり、より好ましくは１０ｍｍ以上２５ｍｍ以下である。
中央凸状部６４における極小点６５ｂ，６６ｂから極大点６４ａまでの縦方向Ｘの寸法は、中心線Ｃを基軸としたナプキン１の折れを効果的に防止する観点から、好ましくは１ｍｍ以上２０ｍｍ以下であり、より好ましくは３ｍｍ以上１０ｍｍ以下である。また、中央凸状部６４の極小点６５ｂ，６６ｂ間の横方向Ｙの寸法は、好ましくは５ｍｍ以上３０ｍｍ以下であり、より好ましくは１０ｍｍ以上２０ｍｍ以下である。
【００３７】
［吸収体の構成］
図２に示すように、吸収体４は、本体吸収体４０を構成する２枚の吸収性シート４０１，４０２間に、中央吸収体４１を構成する吸収性シート４０３を挟持した構造を有する。このような構成により、吸収力を維持しつつ吸収体４の厚みを薄くすることができる。
本体吸収体４０は、吸収体４の外形を形成する。本体吸収体４０を構成する吸収性シート４０１，４０２は、平面視において角が丸みを帯びた略矩形形状で、かつ前方領域Ｍ１から中間領域Ｍ２を経て後方領域Ｍ３にわたって延びる。これらの吸収性シート４０１，４０２は、同一の形状及び大きさを有する。
中央吸収体４１は、本体吸収体４０の一部に重ねて配され、本体吸収体４０より小型に構成される。中央吸収体４１は、平面視において略矩形形状であり、中間領域Ｍ２及びその近傍にわたって配されている。中央吸収体４１は、１枚の吸収性シート４０３を折り畳んで２層構造としたものであり、本体吸収体４０を構成する２枚の吸収性シート４０１，４０２間に配されている。
中央吸収体４１（吸収性シート４０３）は、折り畳まれた吸収性シート４０３によって、高坪量部４２を構成する。高坪量部４２は、中間領域Ｍ２に形成され、吸収体４を構成する吸収性シートの積層枚数が、その周囲に位置する部分より多く、厚みが大きい部分である。このため、ナプキン１は、中間領域Ｍ２に、表面シート２側（ナプキン１の肌対向面側）に突出した隆起部を形成している。高坪量部４２を構成することで、吸収体４の一部の吸収容量を容易且つ効率的に増大させることができる。
中央吸収体４１は、本体吸収体４０を構成する２枚の吸収性シート４０１，４０２間に配置するのに代えて、本体吸収体４０を構成する上側の吸収性シート４０１に積層しても良いし、本体吸収体４０を構成する下側の吸収性シート４０２の非肌対向面側に積層しても良い。また、吸収性シート４０１，４０２，４０３間は、接合されていなくても良いし、まばらに散布した接着剤等によって接着されていても良い。
【００３８】
［吸収体の厚み］
吸収体４は、高坪量部４２の厚みが、好ましくは０．７ｍｍ以上、更に好ましくは１ｍｍ以上であり、また、好ましくは５ｍｍ以下、更に好ましくは４ｍｍ以下である。より具体的には、高坪量部４２の厚みは０．７ｍｍ以上５ｍｍ以下が好ましく、更には１ｍｍ以上４ｍｍ以下であることが好ましい。高坪量部４２の厚みをこの範囲とすることで、高坪量部４２が形成されている中間領域Ｍ２における良好な着用感と高い吸収性能とを両立することが容易となる。また、本実施形態のナプキン１のように吸収性物品がウイング部Ｗを備えている場合には、その着用時に中間領域Ｍ２での吸収体のヨレを抑制しやすくなる。高坪量部４２以外の吸収体４の厚み、即ち本体吸収体４０（２枚の吸収性シート４０１，４０２の積層体）の厚みに関しては、好ましくは０．３ｍｍ以上、更に好ましくは０．５ｍｍ以上であり、また、好ましくは３ｍｍ以下、更に好ましくは２．５ｍｍ以下である。より具体的には、本体吸収体４０の厚みは、０．５ｍｍ以上３ｍｍ以下、更には０．６ｍｍ以上２．５ｍｍ以下であることが、高い吸収性能と着用者の動きへの追従性を高める観点から好ましい。
【００３９】
また、吸収体４において、高坪量部４２とその周辺部との境界又はその近傍における両者の厚み差（段差）は２ｍｍ以下であることが好ましく、更に１．５ｍｍ以下であることが好ましい。この目的は、中間領域Ｍ２において、高坪量部４２とその周辺部分の本体吸収体４０のみが存在する領域との境界付近におけるヨレの発生を抑制することである。この段差が大きいと、着用中にナプキン１が着用者の動きに追従した際、段差による隙間を埋めようとするため、結果として段差の影響でヨレが生じ易くなることがあるが、該段差を上記範囲内に設定とすることで、中間領域Ｍ２におけるヨレの発生を抑える効果が高まる。上述した吸収体４の各部の厚みは下記方法により測定される。
【００４０】
［吸収体の厚みの測定方法］
測定対象物である吸収体を水平な場所にシワや折れ曲がりがないように静置し、５ｃＮ／ｃｍ2の荷重下での厚みを測定する。本発明における厚みの測定には、厚み計PEACOCKDIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００４１】
［サイドシートの構成］
図１に示すように、一対のサイドシート５は、それぞれ、中間領域Ｍ２に位置する線状の第１接合線５１と、第１接合線５１の縦方向Ｘの前後（前方領域Ｍ１及び後方領域Ｍ３）に位置する線状の第２接合線５２とで表面シート２に接合されている。第１接合線５１は、平面視において横方向Ｙの外方に向けて凸の曲線状であり、第２接合線５２は、平面視において縦方向Ｘに交差するように延びる線状（ジグザグ線状）である。このように、サイドシート５が接合線５１，５２にて本体Ｍの肌対向面（表面シート２）に接合されていると、図２に示すように、接合線５１，５２よりも横方向Ｙの内方に、サイドシート５と表面シート２とにより空間部Ｐが形成される。この空間部Ｐは、本体Ｍの横方向Ｙの中央に向けて開口しているので、横方向Ｙの中央から外方へ流れる経血等の排泄液は空間部Ｐに収容されるようになり、結果として液の漏れが効果的に防止される。
【００４２】
［他の実施形態］
凸状部６４〜６６が形成される前方溝６１では、左右極大点６５ａ，６６ａ及び極小点６５ｂ，６６ｂ間がそれぞれ曲線状に構成される態様に限定されず、図５に示すように、直線状に構成されてもよい。これによっても、ナプキン１が肌に対して局所的に当たることによる装着違和感や擦れの発生を抑制することができる。
また、凸状部６４〜６６が形成される前方溝６１では、周縁部６５ｃ，６６ｃのみが直線状で、他が曲線状であってもよいし、極大点及び極小点間の少なくとも一部が直線状であってもよい。
【００４３】
図６に示すように、ナプキン１では、前方溝６１及び後方溝６３の双方が、中央凸状部６４と、左右凸状部６５，６６と、を有する構成であってもよい。これにより、前方領域Ｍ１に加えて、後方領域Ｍ３においても、ナプキン１が肌に対して局所的に当たることによる装着違和感や擦れの発生を抑制することができる。
【００４４】
また、ナプキン１では、後方溝のみが、中央凸状部６４と、左右凸状部６５，６６と、を有する構成であってもよい。
【００４５】
ところで、上述したナプキン１に替えて、図７のように、固定手段７の固定領域７５が、横方向Ｙに延び、かつ縦方向Ｘに間隙７６を介して形成された構成をしても良い。この場合も、凸部６４，６５は固定領域７５と重なっているが、極小点６５ｂ、６６ｂは固定領域７５と重なっていないので、上述した実施形態と同様の効果を奏することができる。しかしながら、上述した実施形態のように、固定領域７１，７２，７３が縦方向Ｘに延び、横方向Ｙに間隙７４を介して形成される方が、縦方向Ｘに延在する間隙７４の存在によって、本発明の効果を得るには有利である。
【００４６】
以上、本発明の実施形態について説明したが、本発明は上述の実施形態にのみ限定されるものではなく、本発明の要旨を逸脱しない範囲内において種々変更を加え得ることは勿論である。
【００４７】
以上の実施形態では、吸収性物品として生理用ナプキンの例を示したが、これに限定されない。本発明の吸収性物品は、例えば、尿取りパットやおりものシート、使い捨ておむつ等であってもよい。
【００４８】
例えば、ナプキン１は、ウイング部Ｗを有さなくてもよいし、あるいは夜用として縦方向Ｘに長く構成され後方領域Ｍ３に後方フラップを有していてもよい。
ウイング部Ｗを有さない場合の中間領域Ｍ２は、ナプキン１が３つ折りの個装形態に折り畳まれた際に生じる、横方向Ｙに沿った折曲線（図示せず）で区画された縦方向Ｘ中央の領域、又は当該領域よりも狭い領域である。
【００４９】
また、固定手段７は、３つの固定領域７１，７２，７３を有する構成に限定されず、左右２つの固定領域を有する構成でもよいし、４以上の固定領域に分割されていてもよい。
【符号の説明】
【００５０】
１…ナプキン（吸収性物品）
２…表面シート
３…裏面シート
４…吸収体
６…線状溝
６１…前方溝
６２…中間溝
６３…後方溝
６４…中央凸状部
６４ａ…中央極大点
６５，６６…左右凸状部（左側凸状部、右側凸状部）
６５ａ，６６ａ…左右極大点
６５ｂ，６６ｂ…極小点
７…固定手段
７１，７２，７３，７５…固定領域
Ｍ…本体
Ｃ…中心線
【図１】
2020039508.tif 000003
【図２】
2020039508.tif 000004
【図３】
2020039508.tif 000005
【図４】
2020039508.tif 000006
【図５】
2020039508.tif 000007
【図６】
2020039508.tif 000008
【図７】
2020039508.tif 000009